(57)【要約】【課題】撮影画像データに関連付ける情報の内容によらず、撮影画像データに対して正確な情報を関連付けることが可能なデジタルカメラを提供する。【解決手段】デジタルカメラ１０が撮影モードに設定され、レリーズボタン１１３ａが半押されると、システム制御部１０９は、ハンディＧＰＳ２０のメモリ２０３に記憶されているＧＰＳ情報の送信を要求する要求信号を生成して、その要求信号を近距離無線通信ＩＦ１０５からハンディＧＰＳ２０に送信させる。ハンディＧＰＳ２０からは、その要求信号を受信した時点でメモリ２０３に記憶されているＧＰＳ情報がデジタルカメラ１０に送信され、デジタルカメラ１０はこれを受信する。ユーザが、撮影指示を行うために、レリーズボタン１１３ａを全押しすると、システム制御部１０９は駆動部１０４に駆動信号を出力して撮影を行わせる。そして、システム制御部１０９は、撮像部１０１から出力されて信号処理されて得られた撮影画像データと、受信したＧＰＳ情報とを関連付けて記録メディア１１２に記録する制御を行う。【選択図】図１
2006086927.tif 000002
【特許請求の範囲】
【請求項１】
携帯端末と近距離無線通信が可能なデジタルカメラであって、
前記携帯端末は、前記デジタルカメラで撮影して得られる撮影画像データに関連付けるための情報を記憶しており、
撮影を行うために用いられるレリーズボタンと、
撮影モード時における前記レリーズボタンの押下に応じて、前記情報の送信を要求する要求信号を前記携帯端末に送信する送信手段と、
前記要求信号に応じて前記携帯端末から送信されてくる前記情報を受信する受信手段と、
前記受信手段で受信した情報を、前記押下に基づく撮影により得られる撮影画像データに関連付けて記録する記録手段とを備えるデジタルカメラ。
【請求項２】
請求項１記載のデジタルカメラであって、
前記レリーズボタンは２段ストロークタイプであり、前記撮影モード時において半押しされた状態で画角の確定指示を行い、全押しされた状態で前記確定された画角での撮影指示を行うものであり、
前記送信手段は、前記レリーズボタンが半押しされた時点で前記要求信号を送信するデジタルカメラ。
【請求項３】
請求項２記載のデジタルカメラであって、
前記撮影モード時にスルー画像を表示する表示手段を備え、
前記表示手段は、前記要求信号に応じて送信されてきた前記情報を前記スルー画像と共に表示するデジタルカメラ。
【請求項４】
請求項１記載のデジタルカメラであって、
前記レリーズボタンは、２段ストロークタイプであり、前記撮影モード時において半押しされた状態で画角の確定指示を行い、全押しされた状態で前記確定された画角での撮影指示を行うものであり、
前記送信手段は、前記レリーズボタンが全押しされた時点で前記要求信号を送信するデジタルカメラ。
【発明の詳細な説明】
【技術分野】
【０００１】
本発明は、携帯端末と近距離無線通信が可能なデジタルカメラに関する。
【背景技術】
【０００２】
従来、デジタルカメラで撮影して得られる撮影画像データに関連付けるべき情報を、デジタルカメラ以外の電子機器から取得可能なシステムが提案されている（例えば特許文献１参照）。このシステムは、電子黒板装置とデジタルカメラとから構成されており、まずユーザが、撮影対象に対する撮影付属情報を電子黒板装置に直接入力して、電子黒板装置の表示部に撮影付属情報を表示させる。そして、表示部に表示された撮影付属情報と撮影対象をデジタルカメラによって撮影する。その後、撮影して得られる画像で問題がないとユーザが判断してデジタルカメラに指示を出すと、デジタルカメラにより、電子黒板装置から該撮影付属情報が無線で取得され、撮影して得られた撮影画像データと該撮影付属情報とが関連付けて記録される。このようにして、デジタルカメラ側に撮影付属情報を生成する機能を持たせることなく、撮影画像データに撮影付属情報を関連付けて記録するといったことを可能にしている。
【０００３】
【特許文献１】特開２００４−１２０３７０号公報
【発明の開示】
【発明が解決しようとする課題】
【０００４】
上記システムでは、撮影画像データに関連付けたい撮影付属情報をユーザが任意に決めることができるため、撮影対象を撮影した後に撮影付属情報を取得したとしても問題はない。しかし、撮影付属情報がユーザによって決められないようなものや、時間と共に変化してしまうようなものである場合、例えば緯度、経度等のＧＰＳ情報であった場合、撮影した後にＧＰＳ情報を取得したのでは、撮影時のＧＰＳ情報と実際に取得したＧＰＳ情報とが異なってしまう恐れがあり、撮影画像データに対して正確な撮影付属情報を関連付けることができない。このため、撮影付属情報の取得タイミングを工夫する必要がある。
【０００５】
本発明は、上記事情に鑑みてなされたものであり、撮影画像データに関連付ける情報の内容によらず、撮影画像データに対して正確な情報を関連付けることが可能なデジタルカメラを提供することを目的とする。
【課題を解決するための手段】
【０００６】
本発明のデジタルカメラは、携帯端末と近距離無線通信が可能なデジタルカメラであって、前記携帯端末は、前記デジタルカメラで撮影して得られる撮影画像データに関連付けるための情報を記憶しており、撮影を行うために用いられるレリーズボタンと、撮影モード時における前記レリーズボタンの押下に応じて、前記情報の送信を要求する要求信号を前記携帯端末に送信する送信手段と、前記要求信号に応じて前記携帯端末から送信されてくる前記情報を受信する受信手段と、前記受信手段で受信した情報を、前記押下に基づく撮影により得られる撮影画像データに関連付けて記録する記録手段とを備える。
【０００７】
この構成により、撮影を行うためにレリーズボタンを押下すると、携帯端末に記憶されている情報がデジタルカメラに送信されてくる。このため、情報が例えばＧＰＳ情報であった場合でも、レリーズボタンが押下された時点でのＧＰＳ情報をデジタルカメラに取得しておくことが可能となり、デジタルカメラで撮影して得られる撮影画像データに、撮影時点に近い時点での情報を関連付けることができる。
【０００８】
本発明のデジタルカメラは、前記レリーズボタンは２段ストロークタイプであり、前記撮影モード時において半押しされた状態で画角の確定指示を行い、全押しされた状態で前記確定された画角での撮影指示を行うものであり、前記送信手段は、前記レリーズボタンが半押しされた時点で前記要求信号を送信する。
【０００９】
本発明のデジタルカメラは、前記撮影モード時にスルー画像を表示する表示手段を備え、前記表示手段は、前記要求信号に応じて送信されてきた前記情報を前記スルー画像と共に表示する。
【００１０】
この構成により、これから撮影しようとする画像にどのような情報が関連付けられるのかを撮影前に確認することができる。
【００１１】
本発明のデジタルカメラは、前記レリーズボタンが２段ストロークタイプであり、前記撮影モード時において半押しされた状態で画角の確定指示を行い、全押しされた状態で前記確定された画角での撮影指示を行うものであり、前記送信手段は、前記レリーズボタンが全押しされた時点で前記要求信号を送信する。
【００１２】
この構成により、携帯端末で記憶される情報が変化するものであった場合でも、撮影した時点での情報を取得して、撮影画像データに関連付けておくことができる。
【発明を実施するための最良の形態】
【００１３】
以下、本発明の実施形態について図面を参照して説明する。
【００１４】
図１は、本発明の実施形態を説明するための撮影システムの概略構成を示す図である。
図１に示すように、撮影システム１００は、携帯端末の一例としてのハンディＧＰＳ２０と、デジタルカメラ１０とを備える。
【００１５】
ハンディＧＰＳ２０は、表示部２０１と、制御部２０２と、メモリ２０３と、ＧＰＳ受信機２０４と、近距離無線通信インターフェース（ＩＦ）２０５とを備える。ＧＰＳ受信機２０４で受信されたハンディＧＰＳ２０の緯度や経度等のＧＰＳ情報は、制御部２０２に入力される。このＧＰＳ情報は、デジタルカメラ１０で撮影して得られる撮影画像データに関連付けるための情報である。この情報は、ＧＰＳ情報に限らない。
【００１６】
表示部２０１は、ＬＣＤ表示器等で構成され、制御部２０２から出力されるＧＰＳ情報等を表示する。
【００１７】
メモリ２０３は、例えばＲＡＭであり、制御部２０２によりＧＰＳ受信機２０４からのＧＰＳ情報が記憶される。ここに記憶されているＧＰＳ情報は、ＧＰＳ受信機２０４から新しいＧＰＳ情報が出力されるたびに、書き換えられる。
【００１８】
近距離無線通信ＩＦ２０５は、デジタルカメラ１０と近距離無線通信を行うためのインターフェースであり、例えば、ＲＦ−ＩＤやブルートゥース等を用いることができる。
【００１９】
制御部２０２は、ハンディＧＰＳ２０全体を統括制御する。制御部２０２は、メモリ２０３に記憶されているＧＰＳ情報の送信を要求する要求信号をデジタルカメラ１０から受信すると、要求信号を受信した時点でメモリ２０３に記憶されているＧＰＳ情報を、近距離無線通信ＩＦ２０５からデジタルカメラ１０に送信させる。
【００２０】
デジタルカメラ１０は、撮像部１０１と、アナログ信号処理部１０２と、Ａ／Ｄ変換部１０３と、駆動部１０４と、近距離無線通信ＩＦ１０５（特許請求の範囲の送信手段、受信手段に該当）と、デジタル信号処理部１０６と、圧縮／伸張処理部１０７と、表示部１０８と、システム制御部１０９（特許請求の範囲の記録手段に該当）と、内部メモリ１１０と、メディアインタフェース１１１と、記録メディア１１２と、操作部１１３とを備える。近距離無線通信ＩＦ１０５、デジタル信号処理部１０６、圧縮／伸張処理部１０７、表示部１０８、システム制御部１０９、内部メモリ１１０、及びメディアインタフェース１１１は、システムバス１１４に接続されている。
【００２１】
撮像部１０１は、撮影レンズ等の光学系及びＣＣＤイメージセンサ等の撮像素子によって被写体の撮影を行うものであり、アナログの撮像信号を出力する。
【００２２】
アナログ信号処理部１０２は、撮像部１０１で得られた撮像信号に所定のアナログ信号処理を施す。Ａ／Ｄ変換部１０３は、アナログ信号処理部１０２で処理後のアナログ信号をデジタル信号に変換する。
【００２３】
撮影に際しては、駆動部１０４を介して光学系及び撮像素子の制御が行われる。撮像素子は、操作部１１３の一部であるレリーズボタン１１３ａの操作によるレリーズスイッチ（図示せず）オンを契機として、所定のタイミングで、駆動部１０４に含まれるタイミングジェネレータからの駆動信号によって駆動される。駆動部１０４は、システム制御部１０９によって所定の駆動信号を出力する。
【００２４】
デジタル信号処理部１０６は、Ａ／Ｄ変換部１０３からのデジタル信号に対して、操作部１１３によって設定された動作モードに応じたデジタル信号処理を行う。
【００２５】
圧縮／伸張処理部１０７は、デジタル信号処理部１０６で得られたＹ／Ｃデータ（撮影画像データ）に対して圧縮処理を施すとともに、記録メディア１１２から得られた圧縮画像データに対して伸張処理を施す。
【００２６】
表示部１０８は、例えばＬＣＤ表示器を含んで構成され、撮影されてデジタル信号処理を経た撮影画像データに基づく画像を表示する。記録メディアに記録された圧縮画像データを伸張処理して得た画像データに基づく画像の表示も行う。表示部１０８は、デジタルカメラ１０が撮影モードに設定されている間（撮影処理を行っている時間は除く）、スルー画像を表示する。
【００２７】
内部メモリ１１０は、例えばＤＲＡＭであり、デジタル信号処理部１０６やシステム制御部１０９のワークメモリとして利用される他、記録メディア１１２に記録される撮影画像データを一時的に記憶するバッファメモリや表示部１０８への表示画像データのバッファメモリとしても利用される。メディアインタフェース１１１は、メモリカード等の記録メディア１１２との間のデータの入出力を行うものである。
【００２８】
操作部１１３は、デジタルカメラ１０使用時の各種操作を行うものであり、撮影を行うために用いられるレリーズボタン１１３ａを含む。レリーズボタン１１３ａは、２段ストロークタイプのもので、撮影モード時に少なくとも途中まで押された状態（半押し状態）になると、その状態を示す信号をシステム制御部１０９に送り、更に最後まで押された状態（全押し状態）になると、その状態を示す信号をシステム制御部１０９に送る。半押し状態を示す信号は、システム制御部１０９に対して画角の確定指示を行うための信号となり、全押し状態を示す信号は、システム制御部１０９に対して、半押し状態で確定された画角での撮影指示を行うための信号となる。
【００２９】
近距離無線通信ＩＦ１０５は、ハンディＧＰＳ２０と近距離無線通信を行うためのインターフェースであり、例えば、ＲＦ−ＩＤやブルートゥース等を用いることができる。
【００３０】
システム制御部１０９は、所定のプログラムによって動作するプロセッサを主体に構成され、撮影動作を含むデジタルカメラ全体の制御を行う。システム制御部１０９は、撮像部１０１から得られる撮影画像データと、ハンディＧＰＳ２０から送信されてくるＧＰＳ情報とを関連付けて記録メディア１１２に記録する制御を行う。
【００３１】
以下、ユーザが、ハンディＧＰＳ２０を所持した状態で、デジタルカメラ１０により撮影を行い、その撮影により得られた撮影画像データに、ハンディＧＰＳ２０に記憶されているＧＰＳ情報を関連付けて記録する際のデジタルカメラの動作について説明する。
図２は、デジタルカメラ１０の動作を説明するためのフローチャートである。
デジタルカメラ１０が撮影モードに設定されると（Ｓ２１）、図３の左上に示すように、表示部１０８にはスルー画像が表示される。ユーザが画角を確定して、画角の確定指示を行うためにレリーズボタン１１３ａを半押しすると（Ｓ２２）、半押し状態を示す信号がシステム制御部１０９に送られる。システム制御部１０９は、この信号に応じて、撮像部１０１に含まれる光学系の位置を調節するＡＦ処理や自動で露出値を決定するＡＥ処理等を行うと共に、ハンディＧＰＳ２０のメモリ２０３に記憶されているＧＰＳ情報の送信を要求する要求信号を生成して、その要求信号を近距離無線通信ＩＦ１０５からハンディＧＰＳ２０に送信させる（Ｓ２３）。
【００３２】
要求信号を受信したハンディＧＰＳ２０から、その要求信号を受信した時点でメモリ２０３に記憶されているＧＰＳ情報がデジタルカメラ１０に送信され、近距離無線通信ＩＦ１０５を介してこれが受信されると（Ｓ２４：ＹＥＳ）、システム制御部１０９は、表示部１０５に表示されているスルー画像に、受信されたＧＰＳ情報を重ねて表示させる制御を行う（Ｓ２５、図３の左下の図参照）。一方、システム制御部１０９は、ＧＰＳ情報が受信されなかった場合（Ｓ２４：ＮＯ）、Ｓ２５の処理を省略する。
【００３３】
ユーザが、撮影指示を行うために、更にレリーズボタン１１３ａを押下して、レリーズボタン１１３ａを全押しすると（Ｓ２６）、全押し状態を示す信号がシステム制御部１０９に送られる。システム制御部１０９は、この信号に応じて、駆動部１０４に駆動信号を出力して撮影を行わせる。そして、システム制御部１０９は、撮像部１０１から出力されて信号処理されて得られた撮影画像データを記録メディア１１２に記録する制御を行う（Ｓ２７）。更に、システム制御部１０９は、Ｓ２４でＧＰＳ情報を受信していた場合（Ｓ２８：ＹＥＳ）、そのＧＰＳ情報を、上記記録した撮影画像データ（ＧＰＳ情報を受信するトリガとなったレリーズボタン１１３ａの半押しに基づく撮影により得られた撮影画像データ）に関連付けて記録メディア１１２に記録する制御を行う（Ｓ２９）。続いて、撮影を継続する場合（Ｓ３０：ＮＯ）はＳ２２に戻り、撮影を終了する場合（Ｓ３０：ＹＥＳ）は処理を終了する。
【００３４】
以上のようにデジタルカメラ１０は、レリーズボタン１１３ａが半押しされた時点で、要求信号をハンディＧＰＳ２０に送信し、この要求信号に応じてハンディＧＰＳ２０から送られてくるＧＰＳ情報を受信する。そして、このＧＰＳ情報を、レリーズボタン１１３ａを更に全押して得られる撮影画像データに関連付けて記録する。レリーズボタン１１３ａが半押しされた時点でのＧＰＳ情報を取得しておくことができるため、撮影画像データに、それを実際に撮影した時点とほぼ同じ時点でのＧＰＳ情報を関連付けることができる。
【００３５】
尚、上記では、レリーズボタン１１３ａが半押しされた時点で、ハンディＧＰＳ２０からＧＰＳ情報を受信しているが、レリーズボタン１１３ａが全押しされた時点で、ハンディＧＰＳ２０からＧＰＳ情報を受信するようにしても良い。例えば、走行する電車の中でハンディＧＰＳ２０とデジタルカメラ１０を使用する場合は、ＧＰＳ情報が刻一刻と変化してしまう。このため、レリーズボタン１１３ａを半押しした時点と、レリーズボタン１１３ａを全押しした時点との間で時間があいてしまうと、撮影した時点でのＧＰＳ情報と、撮影画像データに関連付けられるＧＰＳ情報とが大きく異なってしまう可能性がある。ところが、上記のようにすることで、撮影した時点でのＧＰＳ情報を撮影画像データに関連付けることができる。
【００３６】
又、デジタルカメラ１０は、ハンディＧＰＳ２０からＧＰＳ情報を受信した際に、そのＧＰＳ情報をスルー画像に重ねて表示する。このため、ユーザは、これから撮影しようとする画像に関連付けられるＧＰＳ情報を撮影前に確認することができ、ＧＰＳ情報がユーザの意図した情報でない場合や、ＧＰＳ情報が表示されない場合等には、撮影をキャンセルするといったように、状況に応じた使い方をすることができる。
【００３７】
尚、上記では、デジタルカメラ１０で撮影して得られる撮影画像データに関連付ける情報としてＧＰＳ情報を例にして説明したが、これに限らない。
【図面の簡単な説明】
【００３８】
【図１】本発明の実施形態を説明するための撮影システムの概略構成を示す図
【図２】本発明の実施形態を説明するための撮影システムのデジタルカメラの動作を説明するためのフローチャート
【図３】デジタルカメラの画面表示例を示す図
【符号の説明】
【００３９】
１０  デジタルカメラ
１０５  近距離無線通信ＩＦ（送信手段、受信手段）
１０８  表示部（表示手段）
１０９  システム制御部（記録手段）
１１３ａ  レリーズボタン
２０  ハンディＧＰＳ（携帯端末）
２０３  メモリ
【図１】
2006086927.tif 000003
【図２】
2006086927.tif 000004
【図３】
2006086927.tif 000005